【手続補正書】
【提出日】平成16年5月12日(2004.5.12)
【手続補正１】
【補正対象書類名】明細書
【補正対象項目名】００３４
【補正方法】変更
【補正の内容】
【００３４】  さらに、虚像現出装飾体１を目視する方向をＹ方向（図２参照）に保持した状態で前記虚像２４を目視する位置を前記画素行１５であった各画素列上に配置される画素の並び（一方の画素の並び）に対して略平行に移動させた場合、即ち、目視する方向（Ｙ方向）に対して略平行方向に移動させた場合には、当該画素行１５であった各画素列上に配置される画素７の並びの各画素７が基本画素１８から順に該画素７の中心を支点として同じ回転角θを累積する回転パターンにて一方向に回転するように形成されているため、虚像２４を目視する位置をＹ方向（図２参照）に移動させた場合には、虚像２３が、図９の（ａ）に示すように、僅かにＹ方向と反対方向（図９の（ａ）中、矢印方向）に移動しながら移動する方向に位置する各画素７の回転に合わせて該虚像２４の中心を支点として回転するように動いて見え、虚像２４を目視する位置をＹ方向と反対方向（図２参照）に移動させた場合には、虚像２４が、図９の（ｂ）に示すように、僅かにＹ方向（図９の（ｂ）中、矢印方向）に移動しながら移動する方向に位置する各画素７の回転に合わせて該虚像２４の中心を支点として回転するように動いて見える。
【手続補正２】
【補正対象書類名】明細書
【補正対象項目名】００６２
【補正方法】変更
【補正の内容】
【００６２】  さらに、虚像現出装飾体３４を目視する方向をＸ方向（図１５参照）に保持した状態で前記虚像３７を目視する位置を各画素行１５上に配置される画素７の並び（一方の画素の並び）に対して略平行に移動させた場合（図１７の（ｂ）参照）には、各画素行１５上に配置される画素７の並びの各画素７が該画素７の中心を支点として基本画素１８から順に同じ回転角θを累積する回転パターンにて一方向に回転するように形成されているため、虚像３７を目視する位置をＹ方向（図１５参照）に移動させると、虚像３７が、図２０の（ａ）に示すように、僅かにＹ方向（図２０の（ａ）中、矢印方向）に移動しながら移動する方向に位置する各画素７の回転に合わせて該虚像３７の中心を支点として回転するように動いて見え、虚像３７を目視する位置をＹ方向と反対方向（図１５参照）に移動させると、虚像３７が、図２０の（ｂ）に示すように、僅かにＹ方向と反対方向（図２０の（ｂ）中、矢印方向）に移動しながら移動する方向に位置する各画素７の回転に合わせて該虚像３７の中心を支点として回転するように動いて見える。
【手続補正３】
【補正対象書類名】明細書
【補正対象項目名】００９８
【補正方法】変更
【補正の内容】
【００９８】  本実施の形態に係る虚像現出装飾体５４をＸ方向（図３３参照）から目視した状態で目視する位置を基準画素１０の真上に固定して目視した場合には、Ｘ方向に対して平行な基準画素列１１と等距離にある一組の他の画素列１２，１２が該各他の画素列１２，１２に対応する平凸レンズ状集光素列１３，１３に対して基準画素列１１を中心軸として内側へ向かってずれていると共に、基準画素列１１より外側の他の画素列１２，１２ほどずれる幅が大きくなっているので、図３５の（ａ）に示すように、画素５５の形状を変形した拡大された虚像５７が基準画素１０を中心として平凸レンズ状集光素層３の奥（下方）に沈んで見える。
【手続補正４】
【補正対象書類名】明細書
【補正対象項目名】０１００
【補正方法】変更
【補正の内容】
【０１００】  次に、虚像現出装飾体５４を目視する方向を変更してＹ方向（図３３参照）から目視した状態で目視する位置を基準画素１０の真上に固定して目視した場合には、図３３に示すように、Ｘ方向より目視した場合における画素列１２が画素行となり、画素行１５が画素列となり、基準画素列１１が基準画素行となり、基準画素行１４が基準画素列となり、平凸レンズ状集光素列１３が平凸レンズ状集光素行となり、平凸レンズ状集光素行１６が平凸レンズ状集光素列となり、画素行１５であった画素列と平凸レンズ状集光素行１６であった平凸レンズ状集光素列及び画素列１２であった画素行と平凸レンズ状集光素列１３であった平凸レンズ状集光素行は、Ｘ方向より目視した場合における画素列１２と平凸レンズ状集光素列１３及び画素行１５と平凸レンズ状集光素行１６の位置関係と同様の位置関係にあるので、図３５の（ｂ）に示すように、画素５５の形状を変形した拡大された虚像５９が基準画素１０を中心として平凸レンズ状集光素層３の奥（下方）であって前記虚像５７の高さ位置よりも下方の高さ位置に深く沈んで見える。
【手続補正５】
【補正対象書類名】明細書
【補正対象項目名】０１０１
【補正方法】変更
【補正の内容】
【０１０１】  なお、虚像現出装飾体５４をＸ方向から目視した場合に現出する虚像５７（図３５の（ａ）参照）よりもＹ方向から目視した場合に現出する虚像５９（図３５の（ｂ）参照）の方が下方の高さ位置に深く沈んで現出するのは、Ｘ方向から目視した場合において、基準画素列１１を中心として一定距離にある平凸レンズ状集光素列１３に対応する画素列１２が該平凸レンズ状集光素列１３に対してずれる幅よりも、基準画素行１４を中心として一定距離にある平凸レンズ状集光素行１６に対応する画素行１５が該平凸レンズ状集光素行１６に対してずれる幅の方が小さいためである。
【手続補正６】
【補正対象書類名】明細書
【補正対象項目名】０１０９
【補正方法】変更
【補正の内容】
【０１０９】  さらに、虚像現出装飾体６０を目視する方向をＸ方向（図３７参照）に保持した状態で前記虚像６２を目視する位置を各画素行１５上に配置された画素５５の並び（一方画素の並び）に対して略平行に移動させた場合には、各画素行１５上に配置される画素５５の並びの各画素５５が該画素５５の中心を支点として基本画素５８から順に同じ回転角を累積する回転パターンにて一方向に回転するように形成されているため、虚像６２が、図４０の（ａ）に示すように、目視する位置を移動させた方向と反対方向に僅かに移動しながら移動する方向に位置する各画素５５の回転に合わせて該虚像６２の中心を支点として回転するように動いて見える。
【手続補正７】
【補正対象書類名】明細書
【補正対象項目名】０１１０
【補正方法】変更
【補正の内容】
【０１１０】  次に、虚像現出装飾体６０を目視する方向を変更してＹ方向（図３７参照）から目視した状態で目視する位置を基準画素１０の真上に固定して目視した場合には、図３７に示すように、Ｘ方向より目視した場合における画素列１２が画素行となり、画素行１５が画素列となり、基準画素列１１が基準画素行となり、基準画素行１４が基準画素列となり、平凸レンズ状集光素列１３が平凸レンズ状集光素行となり、平凸レンズ状集光素行１６が平凸レンズ状集光素列となり、画素行１５であった画素列と平凸レンズ状集光素行１６であった平凸レンズ状集光素列及び画素列１２であった画素行と平凸レンズ状集光素列１３であった平凸レンズ状集光素行は、Ｘ方向より目視した場合における画素列１２と平凸レンズ状集光素列１３及び画素行１５と平凸レンズ状集光素行１６の位置関係と同様の位置関係にあるので、図３９の（ｂ）に示すように、画素５５の形状を変形した拡大された虚像６３が基準画素１０を中心として平凸レンズ状集光素層３の手前（上方）であって前記虚像６２の高さ位置よりも下方の高さ位置に浮いて見える。
【手続補正８】
【補正対象書類名】明細書
【補正対象項目名】０１２１
【補正方法】変更
【補正の内容】
【０１２１】  本実施の形態に係る虚像現出装飾体は、透明基板４からなる透明基板層５と、該透明基板層５の表面に前記実施の形態１と同様にして積層された平凸レンズ状集光素層３と、図４４に示すように、平凸レンズ状集光素層３を形成した紗体の線数を超える線数からなる紗体を形成する紗線によってできる升目を単位として該升目のピッチと同一ピッチで画素７が多数縦横に整列させた画素配置にパーソナルコンピュータにて編集処理アプリケーションを用いて前記実施の形態１と同様に編集処理を施し、さらに、前記実施の形態８と同様に編集処理を施した後、前記実施の形態１と同様にして透明フィルム６に各画素７を形成してなる画素層とから構成されており、平凸レンズ状集光素層３が形成されていない透明基板層５の片面に、図４３に示すように、画素層を該画素層における基本画素列６４と平凸レンズ状集光素層３における平凸レンズ状集光素列６７とが平行になるように配置すると共に、平凸レンズ状集光素２と画素７とが上下において最も重なる基準集光素９と基準画素１０とからなる組を有するように配置し、基準集光素９を中心とする対角線上の等距離にある他の平凸レンズ状集光素２ａ，２ｂに対応する位置にある他の画素７ａ，７ｂが該他の平凸レンズ状集光素２ａ，２ｂに対して基準集光素１０を中心として点対称位置に横ずれして放射状に内側に向かってずれており、かつ、基準画素９より外側の他の画素７ほどずれる幅が大きくなるように積層したものである。
【手続補正９】
【補正対象書類名】図面
【補正対象項目名】図１
【補正方法】変更
【補正の内容】
【図１】
2003226099.tif 000001